(57)【特許請求の範囲】
【請求項１】
相互に積層状に配置される一対の筐体と、当該一対の筐体の間に設けられこれらを相互にスライド開閉させるスライド機構と、通信用電波の送受信を行うアンテナ部と、を備えたスライド型携帯電話機であって、
前記一対の筐体をスライドさせて開く時に、前記アンテナ部を前記スライド機構から離間するよう可動するアンテナ可動手段を備え、
前記アンテナ可動手段は、前記アンテナ部を装備し一方の前記筐体に係合すると共に当該一方の筐体に対して可動する可動部と、他方の前記筐体に設けられ当該他方の筐体を前記一方の筺体に対してスライドさせて開く時に当該他方の筐体のスライド動作によって前記可動部を可動させる力を付勢する可動力付勢部と、を備えた、
ことを特徴とするスライド型携帯電話機。
【請求項２】
前記アンテナ可動手段は、前記一対の筐体に設けられた受話音を出力するスピーカ及び送話音を入力するマイクの形成面から前記アンテナ部を離間するよう可動する、
ことを特徴とする請求項１記載のスライド型携帯電話機。
【請求項３】
前記アンテナ部を、前記筐体の前記スピーカ及び前記マイクの形成面とは反対側の面に設けた、
ことを特徴とする請求項２記載のスライド型携帯電話機。
【請求項４】
前記アンテナ部を、前記一対の筐体をスライドさせて開いたときに当該筐体が相互に重なって位置する筐体の端部に設けた、
ことを特徴とする請求項３記載のスライド型携帯電話機。
【発明の詳細な説明】
【技術分野】
【０００１】
本発明は、携帯電話機にかかり、特に、積層状に重ね合わせられた筐体が相互にスライドするスライド型携帯電話機に関する。
【背景技術】
【０００２】
近年、携帯電話機は、薄型化、小型化の要求がより強くなっている。これと共に、操作性向上のため、広い面積のディスプレイや操作部を設けることも要求されている。かかる要求に応じて、近年では、主にディスプレイ側の筐体と操作キー部側の筐体といった２つの筐体が積層状態から相互にスライドする構造のスライド型携帯電話機が用いられている。
【０００３】
一方で、携帯電話機のさらなる薄型化を実現するとなると、仮に、操作キー部側筐体の背面側にアンテナを設けた場合に、アンテナエレメントと金属体であるスライド機構部の距離を十分に取ることができず、放射効率を確保することが困難となっていた。同時に、薄型化によって、アンテナエレメントと人体との距離がより近くなるため、ＳＡＲ（比吸収率）も増大し、日本国内基準（２．０Ｗ
１０ｇ平均）を満足することが困難となる、という問題があった。
【０００４】
上記問題の解決方法として、スライド展開・収納に関わらず、筐体の一部を突起させて形成し、かかる突起部にアンテナを納める方法も使われている。しかしながら、かかる方法では、スライド収納時に突起部が筐体から突出したままの状態となり、ユーザが携帯電話機をポケットやバッグなどに収納する場合にひっかかるなど、携帯電話機の収納が困難になる、という問題があった。また、アンテナ部の形成位置によっては、携帯電話機を操作するユーザが手でアンテナを覆ってしまうことがあり、かかる場合には放射効率が劣化しうる、という問題があった。
【０００５】
また、近年では、湾曲スライド型の携帯電話機が登場している。湾曲スライド型とは、筐体が湾曲状にスライド移動し、これによって、スライド展開時には、操作キー側筐体と表示部側筐体が適度な角度を成して位置する、という構造である。このようにすることで、ユーザは自然な操作感を得るとともに、通話を行う際に顔面側面の形状にスライド展開した筐体がフィットするため、レシーバーと耳、マイクと口、をより自然と近づけることができる。その結果、ストレスを感じることなく通話が可能となり、操作性が向上しうる。
【０００６】
しかしながら、上述した通常のスライド型端末同様に湾曲スライド型携帯電話機においても薄型化を追及した場合、スライド機構部の影響によってアンテナ放射効率が低下する問題は同様に発生しうる。また、その解決策は、上記スライド型端末同様に、アンテナ部分を突起させるなどの方法しかない。さらに、ＳＡＲ測定においても、上述したように、筐体と擬似人体の顔面側面がフィットすることから、アンテナエレメントが人体の顔面表面により近付くため、上記通常のスライド型端末よりもＳＡＲが大きくなってしまう傾向がある。
【０００７】
【特許文献１】特開２００４−３２８３４６号公報
【発明の開示】
【発明が解決しようとする課題】
【０００８】
ここで、上記特許文献１には、２つの筐体が開閉する折り畳み式携帯電話機において、アンテナの放射効率あるいはＳＡＲを改善する構成が開示されている。この文献では、携帯電話機の開閉動作に連動して、アンテナの先端部がその基端部を始点として、携帯電話機本体つまり筐体の背面より離れるよう構成されている。
【０００９】
しかしながら、上記特許文献１に開示の構成は折り畳み式携帯電話機に適用可能なよう構成されているため、かかる構造を上述したスライド型携帯電話機に適用することはできず、スライド型携帯電話機にて小型化、薄型化を図りつつ、通信品質の向上を図ることができない、という問題があった。また、上記文献では、本体からアンテナ先端部が常に突出しており、使用時には伸ばして利用する構成のロッド状アンテナを対象としているため、長いアンテナ部分を本体から離間させる構造が複雑かつ大型化してしまう、という問題があった。
【００１０】
このため、本発明では、上記不都合を改善し、特に、スライド型携帯電話機において、スライド収納時にアンテナ構造を筐体から突出させること無く小型化を図ると共に、薄型化を図りつつ、スライド展開時に十分な放射効率を得ることができる携帯電話機を提供することをその目的とする。
【課題を解決するための手段】
【００１１】
そこで、本発明のスライド型携帯電話機では、相互に積層状に配置される一対の筐体と、当該一対の筐体の間に設けられこれらを相互にスライド開閉させるスライド機構と、通信用電波の送受信を行うアンテナ部と、を備え、一対の筐体をスライドさせて開く時に、アンテナ部をスライド機構から離間するよう可動するアンテナ可動手段を備えた、という構成を採っている。
【発明の効果】
【００１２】
本発明は、以上のように構成することにより、スライド型携帯電話機にて筐体をスライドして開くと、アンテナ部がスライド機構から離間するよう可動する。従って、アンテナ部と金属体などで形成されたスライド機構との距離が離れるため、アンテナの放射効率の向上を図ることができ、通信品質の向上を図ることができる、という従来にない優れた効果を有する。
【発明を実施するための最良の形態】
【００１３】
本発明は、スライド型携帯電話端末において、簡単な構成でスライド展開時のアンテナ放射効率を確保することができ、同時に、ＳＡＲ（比吸収率）を改善することが出来ることを特徴とする。また、本発明を湾曲スライド型端末に適用した場合、スライド展開時、収納時に関わらず、カメラ撮影時にカメラの光軸と表示装置の表示面の角度を垂直に保つこともできる。
【００１４】
そして、本発明の一形態であるスライド型携帯電話機は、相互に積層状に配置される一対の筐体と、当該一対の筐体の間に設けられこれらを相互にスライド開閉させるスライド機構と、通信用電波の送受信を行うアンテナ部と、を備えたスライド型携帯電話機であって、一対の筐体をスライドさせて開く時に、アンテナ部をスライド機構から離間するよう可動するアンテナ可動手段を備えた、という構成を採る。
【００１５】
上記発明によると、スライド型携帯電話機にて筐体をスライドして開くと、アンテナ部がスライド機構から離間するよう可動する。従って、通話時など筐体をスライドして開いたときに、アンテナ部と金属体などで形成されたスライド機構との距離が離れるため、アンテナの放射効率の向上を図ることができる。その結果、通信品質の向上を図ることができる。
【００１６】
また、本発明では、上記アンテナ可動手段は、一対の筐体に設けられた受話音を出力するスピーカ及び送話音を入力するマイクの形成面からアンテナ部を離間するよう可動する、という構成を採る。これにより、ユーザが携帯電話機をスライドさせて開き、通話を行う際に、筐体のスピーカ及びマイクの形成面からアンテナ部の距離が離れる。従って、携帯電話機を頭部に当てて通話するユーザの頭部からアンテナ部を離すことができ、ＳＡＲ（比吸収率）の低下を図ることができる。
【００１７】
また、本発明では、アンテナ部を、筐体のスピーカ及びマイクの形成面とは反対側の面に設けた、という構成を採る。さらに、本発明では、アンテナ部を、一対の筐体をスライドさせて開いたときに当該筐体が相互に重なって位置する筐体の端部に設けた、という構成を採る。
【００１８】
これにより、筐体に対して人の頭部がより近づくスピーカ及びマイクの形成面とは反対側の面にアンテナ部が設けられているため、スライド展開時にはさらにスピーカ及びマイクや、スライド機構からより離間させることができる。特に、スライドさせて開いたときに、中央付近に位置する筐体の端部であり筐体同士が重なる面とは反対側にアンテナ部を設けているため、頭部から最も離れた位置にアンテナ部が位置することとなる。従って、さらなる通信品質の向上、ＳＡＲの低下を図ることができる。
【００１９】
また、本発明では、上記アンテナ可動手段は、一対の筐体をスライドさせて開く時に、一方の筐体に設けられたアンテナ部に連動する部材に対して、他方の筐体のスライド動作によって所定の力を付勢することで、アンテナ部を可動させる、という構成を採る。具体的には、アンテナ可動手段は、アンテナ部を装備し一方の筐体に係合すると共に当該一方の筐体に対して可動する可動部と、他方の筐体に設けられ当該他方の筐体をスライドさせて開く時に可動部を可動させる力を付勢する可動力付勢部と、を備えた、という構成を採る。さらに具体的には、可動部は、他方の筐体のスライド面に向かって突出する突出部を備えると共に、可動力付勢部は、他方の筐体のスライド面に形成され、可動部の突出部を収容すると共に他方の筐体をスライドさせて開いた時に突出部を押圧して可動部を可動させる力を付勢する溝部を備えた、という構成を採る。
【００２０】
これにより、筐体をスライド動作させる際にアンテナ部と連動する部材、例えば、アンテナ部を装備した可動部に形成された突出部を、スライドする他方の筐体に設けられた可動力付勢部の溝部にて押圧して所定の力を付勢することで、アンテナ部を可動する。このように、簡易な構成にて実現することができ、製造の容易化、低コスト化を図ることができる。
【００２１】
また、本発明では、スライド機構は、一対の筐体を相互に湾曲状にスライド開閉させる機構であり、一対の筐体に設けられた受話音を出力するスピーカ及び送話音を入力するマイクの形成面とは反対側の筐体面にカメラ部を備え、一対の筐体をスライドさせて開く時にカメラ部の撮影方向が変化するよう当該カメラ部を可動するカメラ可動手段を備えた、という構成を採る。そして、上記カメラ可動手段は、カメラ部による撮影方向を表す光軸が、筐体に設けられた表示部の表示面に対して直角になるようカメラ部を可動する、という構成を採る。さらに、本発明では、上記アンテナ部を装備した可動部に、カメラ部を装備する、という構成を採る。
【００２２】
これにより、例えば、湾曲スライド型端末の場合、湾曲してスライドする一対の筐体のために、スライドして開いたときに表示部とカメラの光軸が直角にならず自然な撮影ができないなどの問題があるが、スライドして開いた時においてもカメラ部の光軸と表示部の表示面が直角に位置するため、自然かつ簡易な撮影が可能となる。
【実施例１】
【００２３】
本発明の第１の実施例を、図１乃至図５、図１０乃至図１３を参照して説明する。図１は、本実施例におけるスライド型携帯電話機の外観を示す図であり、スライド展開させたときの様子を示している。図２は、携帯電話機の側方断面図であり、図３は、スライド展開させたときの側方断面図である。図４乃至図５は、各筐体の構成を示す図である。また、図１０乃至図１３は、携帯電話機の基本構成を示す図である。
【００２４】
［構成］
本実施例における携帯電話機１は、一対の所定の厚みを有する略長方形の筐体１０，２０が、相互にスライド可能なよう係合している。そして、図１に示すように、一対の筐体１０，２０は、表示部１１が設けられた上側筐体１０と、操作部２１が設けられた下側筐体２０とによって構成されており、各筐体１０，２０の長辺方向に沿って相互にスライド可能なよう構成されている（矢印Ａ参照）。例えば、通話などの操作時にスライド展開し（スライドさせて開く（図１の状態））、不使用時や表示画面のみを閲覧する場合には、スライド収納する（スライドさせて閉じる）。なお、本発明におけるスライド型携帯電話機１は、図１に示す構成及び形状に限定されない。例えば、上側筐体１０の表示部１１の下部に、十字キーや決定キーなどを有する操作部の一部が形成されていてもよい。
【００２５】
ここで、図１０乃至図１３を参照して、スライド型携帯電話機の基本構成について説明する。図１０は、スライド型携帯電話機２０１をスライド収納させたときの側方断面図を示しており、図１１は、スライド展開させたときの側方断面図を示している。まず、上側筐体２１０は、内部に基板２１２を装備し、この基板２１２上に設置され上側筐体２１０の表面（図１０の右側の面）に位置する表示部２１１を備えている。また、その反対側の面である上側筐体２１０の背面（図１０の左側の面）には、下側筐体２２０と係合してスライド開閉を可能とする上側スライド機構２１３を備えている。この上側スライド機構２１３が形成された上側筐体２１０を背面側から見た図を、図１２（ａ）に示す。また、図１２（ａ）のＥ−Ｅ線断面図を図１２（ｂ）に示す。
【００２６】
図１２に示すように、上側スライド機構２１３は、上側筐体２１０の背面側のほぼ全面に設けられた所定の厚みを有する薄板状の金属板にて形成されており、上側筐体２１０の略長方形である背面よりも一回り小さい略長方形状にて形成されている。そして、その長辺方向に沿って、各長辺付近に、所定の深さの凹状のレール溝２１３ａが２本形成されている。なお、上側筐体２１０の下端部、つまり、図１１では、スライド展開された時に下側筐体２２０の操作部２２１側に位置して表示部２１１の下方側となる端部側で、各レース溝２１３ａは終端しており、レールエンドが形成されている。
【００２７】
また、下側筐体２２０は、内部に基板２２２を装備し、この基板２２２上に設置され下側筐体２２０の表面（図１０の右側の面）に位置する操作部２２１を備えている。また、その反対側の面である下側筐体２２０の背面（図１０の左側の面）には、電池２２４を備えている。さらに、基板２２２上には、表面側に、上述した上側筐体２１０と係合してスライド開閉を可能とする下側スライド機構２２３を備えている。この下側スライド機構２２３が形成された下側筐体２２０を表面側から見た図を、図１３（ａ）に示す。また、図１３（ａ）のＦ−Ｆ線断面図を図１３（ｂ）に示す。
【００２８】
図１３に示すように、下側スライド機構２２３は、下側筐体２２０の背面側の上方に配設されており、所定の厚みを有する薄板状の金属板にて形成されている。そして、この下側スライド機構２２３は、略長方形である下側筐体２２０の長辺側に短辺を有する略長方形にて形成されており、当該短辺（筐体２２０の長辺）に沿って、各短辺付近に所定の高さの凸状のガイド２２３ａが２本形成されている。そして、このガイド２２３ａは、上記上側スライド機構２１３に形成された各レール溝２１３ａにそれぞれ嵌合して、当該レール溝２１３ａ内をガイド２２３ａが滑ることで、一対の筐体２１０，２２０がスライド移動可能となり、展開、収納が実現される。なお、上記レール溝２１３ａは下端側で終端しており、このレールエンドにガイド２２３ａが当接することで、図１１に示すように、スライド展開された状態でスライド動作が止まり、各筐体２１０，２２０のスライド展開時の位置が決定される。なお、ガイド２２３ａの長さ、レール溝２１３ａの長さを調節することで、展開、収納時の上側筐体２１０、下側筐体２２０の位置関係を設定することができる。
【００２９】
なお、上記上側スライド機構２１３及び下側スライド機構２２３は、携帯電話機２０１の落下等の時に強い力がかかるため、強度を確保する必要があり、金属が望ましい。特に、外気にさらされる箇所であるため、金属の中でも腐食に強いＳＵＳ３０４を用いて形成されているとよい。但し、これは一例であって、スライド機構２１３，２２３はいかなる材料にて形成されていてもよい。
【００３０】
また、下側筐体２２０の背面側には、その上端部、つまり、図１１に示すように、スライド展開した時の中央付近であり、上側筐体２１０と重なる部分に、通信用電波の送受信を行うアンテナ部２４０が設けられている。換言すると、スライド展開されてユーザにて把持される電池２２４が装備された下端側とは反対側の上端側に、アンテナ部２４０が装備されている。また、下側筐体２２０の背面側には、画像取得を行うためのカメラ部２５０も装備されている。
【００３１】
そして、本実施例における携帯電話機１は、上述した図１０乃至図１３を参照して説明した構成をベースにして構成されている。本実施例における携帯電話１の構成を、図１乃至図５を参照して説明する。
【００３２】
本実施例における携帯電話機１は、まず、上述同様に、一対の所定の厚みを有する略長方形の筐体１０，２０が、相互にスライド可能なよう係合している。一対の筐体１０，２０は、表面に表示部１１及び受話音を出力するスピーカ１６が設けられた上側筐体１０（他方の筐体）と、表面に操作部２１及び送話音を入力するマイク２６が設けられた下側筐体２０（一方の筐体）とによって構成されている。
【００３３】
そして、図２は、スライド型携帯電話機１をスライド収納させたときの側方断面図を示しており、図３は、スライド展開させたときの側方断面図を示している。まず、上側筐体１０は、上述同様に、内部に基板１１を装備し、この基板１１上に設置され上側筐体１０の表面（図２の右側の面）に位置する表示部１１を備えている。また、その反対側の面である上側筐体１０の背面（図２の左側の面）には、下側筐体２０と係合してスライド開閉を可能とする上側スライド機構１３を備えている。この上側スライド機構１３が形成された上側筐体１０を背面側から見た図を、図４（ａ）に示す。また、図４（ａ）のＡ−Ａ線断面図を図４（ｂ）に示す。
【００３４】
図４に示すように、上側スライド機構１３は、上側筐体１０の背面側のほぼ全面に設けられた所定の厚みを有する薄板状の金属板にて形成されており、上側筐体１０の略長方形である背面よりも一回り小さい略長方形状にて形成されている。そして、その長辺方向に沿って、各長辺付近に、所定の深さの凹状のレール溝１３ａが２本形成されている。なお、上側筐体１０の下端部、つまり、図３のようにスライド展開された時に下側筐体２０の操作部２１側に位置して表示部１１の下方側となる端部側で、各レース溝１３ａは終端しており、レールエンドが形成されている。そして、さらに、本実施例における上側スライド機構１３には、長手方向に沿った中心線上であって、上端から長手方向の中央よりもやや下の位置にかけて、上記レール溝１３ａよりも深く形成された凹状のアンテナ可動用溝１３ｂ（可動力付勢部（溝部））が形成されている。このアンテナ可動用溝１３ｂには、後述するように、アンテナ部４０が設けられた可動部３０の突起２３ｂが嵌合し、さらには、アンテナ可動用溝１３ｂがスライド展開時に可動部３０に対して可動力を付勢することとなる。
【００３５】
また、下側筐体２０は、内部に基板２２を装備し、この基板２２上に設置され下側筐体２０の表面（図２の右側の面）に位置する操作部２１を備えている。また、その反対側の面である下側筐体２０の背面（図２の左側の面）には、電池２４を備えている。そして、上述同様に、基板２２上の表面側に、上述した上側筐体１０と係合してスライド開閉を可能とする下側スライド機構２３を備えている。この下側スライド機構２３が形成された下側筐体２０を表面側から見た図を、図５（ａ）に示す。また、図５（ａ）のＢ−Ｂ線断面図を図５（ｂ）に示す。
【００３６】
図５に示すように、下側スライド機構２３は、下側筐体２０の背面側の上方に配設されており、所定の厚みを有する薄板状の金属板にて形成されている。そして、この下側スライド機構２３は、略長方形である下側筐体２０の長辺側に短辺を有する略長方形にて形成されており、当該短辺に沿って、各短辺付近に、所定の高さの凸状のガイド２３ａが２本形成されている。そして、このガイド２３ａは、上記上側スライド機構１３に形成された各レール溝１３ａにそれぞれ嵌合して、当該レール溝１３ａ内をガイド２３ａが滑ることで、一対の筐体１０，２０がスライド移動可能となり、展開、収納が実現される。
【００３７】
さらに、本実施例における下側筐体２０には、その上端部、つまり、上側筐体１０がスライド展開した場合でも当該上側筐体１０に重なる部位となる端部が、操作部２１側と切り離されて、アンテナ部４０を含む可動部３０を構成している。そして、この可動部３０は、背面側で蝶番３１にて下側筐体２０と回動自在に係合されている。なお、蝶番３１は、例えば、２個設けられており、金属製のバネ、ゴム等弾性のある部品によって、可動部３０側と操作部２１側の筐体２０とが、適切な力で密着する方向に力がかかるように構成されている。なお、可動部３０は、後述するようにスライド展開時に、蝶番３１を支点として回転することで、背面側に位置するアンテナ部４０がさらに背面側に移動することとなる（図３参照）。
【００３８】
また、可動部３０の表面側には、上側筐体１０の背面側、つまり、上側スライド機構１３に向かって突出する突起２３ｂ（突出部）が形成されている。この突起２３ｂは、図５に示すように、可動部３０の下側筐体２０側のほぼ中心に位置しており、上述した上側スライド機構１３に形成されたアンテナ可動用溝１３ｂの位置に対応している。そして、その深さも、アンテナ可動用溝１３ｂに収容可能な長さだけ突出している。この突起２３ｂは、図３に示すように、上側筐体１０が上方に移動すると、上側スライド機構１３のほぼ中央に形成されたアンテナ可動用溝１３ｂの終端であるレールエンドが当接して、上方に押圧される力が付勢される。これにより、可動部３０は蝶番３１を支点として回転することとなる。なお、可動部３０よりも下方に位置する下側筐体２０の背面には、画像取得を行うためのカメラ部５０も装備されている。
【００３９】
以上のように、アンテナ部４０が装備された可動部３０と、これに形成された突起２３ｂと、この突起２３ｂを収容してガイドとなると共に当該突起２３ｂをスライド展開時に押圧する上側スライド機構１３に形成されたアンテナ可動用溝１３ｂとは、後述するように、スライド機構１３，２３からアンテナ部４０を離間するよう可動するアンテナ可動手段として機能している。なお、突起２３ｂとアンテナ可動用溝１３ｂの配置、当該溝１３ｂの長さ、幅、蝶番３１のバネの強度は、スライド展開時にアンテナ部４０が蝶番３１を支点に適切な角度にまで回転するよう調整される。
【００４０】
［動作］
次に、上記構成のスライド型携帯電話機１の動作を説明する。まず、図２に示すように、上側筐体１０と下側筐体１０とが、全面的に積層された状態となるスライド収納時には、突起２３ｂがアンテナ可動用溝１３ｂに収容されており、また、蝶番３１のバネ力により、可動部３０は蝶番３１を支点として時計回り方向に付勢されている。従って、可動部３１は下側筐体２０に密着し、可動部３０の背面と、下側筐体２０の背面とが一直線上になり、平らな平面を形成することとなる。つまり、アンテナ部４０は、電池２４の面に対して平坦になっている。
【００４１】
その後、図３の矢印Ｙ１に示すように、上側筐体１０を下側筐体２０に対して上方にスライド展開すると、上述したように、下側スライド機構２３に形成されたガイド２３ａが上側スライド機構１３に形成されたレール溝１３ａに沿って移動すると共に、及び、可動部３０の突起２３ｂが上側スライド機構１３に形成されたアンテナ可動用溝１３ｂに沿って移動する。そして、上側筐体１０が上方に最大限スライド可能な位置まで移動すると、上側スライド機構１３の長手方向のほぼ中心位置に形成されたアンテナ可動用溝１３ｂのレールエンドに、可動部３０の突起２３ｂが当接し、当該突起２３ｂを上方に押圧する。すると、可動部３０は背面側で下側筐体２０に蝶番３１にて軸支されているため、突起２３ｂに対して上方に押圧力が付勢されると、当該突起２３ｂと一体的な可動部３０は蝶番３１を支点として反時計割りに回動することとなる（矢印Ｙ２参照）。つまり、突起２３ｂはアンテナ部４０を装備した可動部３０と一体的であるため、当該突起２３ｂの移動に連動して可動部３０つまりアンテナ部４０が可動することとなる。すると、図３に示すように、可動部３０の背面側に設けたアンテナ部４０を、当該背面からさらに離間させることができる。
【００４２】
特に、上記動作により、アンテナ部４０を金属製のスライド機構１３，２３から離すことができるため、通話時における放射効率の向上を図ることができる。その結果、通話品質の向上を図ることができる。同時に、スピーカやマイクが形成された表面ではなく背面側に位置するアンテナ部４０を、さらに表面側から離間させているため、通話時において人体の頭部からアンテナ部４０の距離をより離すことができ、ＳＡＲ（比吸収率）の低下をも図ることができる。このとき、特に、アンテナ部４０を可動させる可動部３０を下側筐体２０の上端部に設けることで、アンテナ部４０が通話時に利用者にて把持されることを抑制しつつ、頭部からより離れた位置となるため、さらに通信品質の向上を図りつつ、ＳＡＲの低下を図ることができる。そして、上述したように、簡易な構成で実現できるため、製造の容易化、低コスト化を図ることができる。
【実施例２】
【００４３】
次に、本発明の第２の実施例を、図６乃至図９を参照して説明する。本実施例における携帯電話機１０１は、まず、上述同様に、一対の所定の厚みを有する略長方形の筐体１１０，１２０が、相互にスライド可能なよう係合している。特に、一対の筐体１１０，１２０は、後述するように、スライド機構のスライド面が湾曲して形成されており、相互に湾曲状にスライドし、スライド展開したときに相互に所定の角度を成して「く」の字状となるよう構成されている。
【００４４】
具体的な構成としては、まず、一対の筐体１１０，１２０は、表面側に表示部１１１及び受話音を出力するスピーカ（図１の符号１６参照）が設けられた上側筐体１１０（他方の筐体）と、表面に操作部１２１及び送話音を入力するマイク（図１の符号２６参照）が設けられた下側筐体１２０（一方の筐体）とによって構成されている。そして、図６は、スライド型携帯電話機１０１をスライド収納させたときの側方断面図を示しており、図７は、スライド展開させたときの側方断面図を示している。
【００４５】
まず、上側筐体１１０は、上述同様に、内部に基板１１２を装備し、この基板１１２上に設置され上側筐体１１０の表面（図６の右側の面）に位置する表示部１１１を備えている。また、その反対側の面である上側筐体１１０の背面（図６の左側の面）には、下側筐体１２０と係合してスライド開閉を可能とする上側スライド機構１１３を備えている。この上側スライド機構１１３が形成された上側筐体１１０を背面側から見た図を、図８（ａ）に示す。また、図８（ａ）のＣ−Ｃ線断面図を図８（ｂ）に示す。
【００４６】
図８に示すように、上側スライド機構１１３は、上側筐体１１０の背面側のほぼ全面に設けられた所定の厚みを有する薄板状の金属板にて形成されており、上側筐体１１０の略長方形である背面よりも一回り小さい略長方形状にて形成されている。そして、その長辺方向に沿って、各長辺付近に、所定の深さの凹状のレール溝１１３ａが２本形成されている。なお、各レース溝１１３ａは、上側筐体１１０の下端部、つまり、図７のようにスライド展開された時に下側筐体１２０の操作部１２１側に位置して表示部１１１の下方側となる端部側において、溝が終端してレールエンドが形成されている。そして、さらに、本実施例における上側スライド機構１１３には、長手方向の中心線上であって、その上端から長手方向の中央部分にかけて、上記レール溝１１３ａよりも深く形成された凹状のアンテナ可動用溝１１３ｂ（可動力付勢部（溝部））が形成されている。このアンテナ可動用溝１３ｂには、後述するように、アンテナ部１４０が設けられた可動部１３０と連動する梃子１２５の一端部が嵌合し、さらには、アンテナ可動用溝１１３ｂが梃子１２５を介して可動部１３０に対して可動力を付勢することとなる。
【００４７】
また、下側筐体１２０は、内部に基板１２２を装備し、この基板１２２上に設置され下側筐体１２０の表面（図２の右側の面）に位置する操作部１２１を備えている。また、その反対側の面である下側筐体１２０の背面（図２の左側の面）には、電池１２４を備えている。そして、上述同様に、基板１２２上の表面側に、上述した上側筐体１１０と係合してスライド開閉を可能とする下側スライド機構１２３を備えている。この下側スライド機構１２３が形成された下側筐体１２０を表面側から見た図を、図９（ａ）に示す。また、図９（ａ）のＤ−Ｄ線断面図を図９（ｂ）に示す。
【００４８】
また、図９に示すように、下側スライド機構１２３は、下側筐体１２０の背面側の上方に配設されており、所定の厚みを有する薄板状の金属板にて形成されている。そして、この下側スライド機構１２３は、略長方形である下側筐体１２０の長辺側に短辺を有する略長方形にて形成されており、当該短辺に沿って、各短辺付近に、所定の高さの凸状のガイド１２３ａが２本形成されている。そして、このガイド１２３ａは、上記上側スライド機構１１３に形成された各レール溝１１３ａにそれぞれ嵌合して、当該レール溝１１３ａ内をガイド１２３ａが滑ることで、一対の筐体１１０，１２０がスライド移動可能となり、展開、収納が実現される。なお、上記上側スライド機構１１３と下側スライド機構１２３の当接面であるスライド面は弧を描いて湾曲して形成されており、これにより、スライド動作は湾曲状となる。
【００４９】
さらに、本実施例における下側筐体１２０は、その上端部、つまり、上側筐体１１０がスライド展開した場合に重なる部位となる端部の一部が、操作部１２１側と別部材にて構成されており、アンテナ部１４０及びカメラ部１５０を含む可動部１３０を構成している。そして、この可動部１３０は、表面側の両端で、蝶番１３１にて下側筐体１２０から延びる枠体部分と回動自在に係合されている。なお、蝶番１３１は、例えば、２個設けられており、金属製のバネ、ゴム等弾性のある部品によって、可動部１３０の背面側と下側筐体１２０の表面側とが、適切な力で近接する方向に力がかかるように構成されている。なお、可動部１３０は、蝶番１３１を支点として回転することで、背面側に位置するアンテナ部１４０及びカメラ部１５０がさらに背面側に移動することとなる（図７参照）。
【００５０】
また、下側筐体１２０には、略Ｌ字上の梃子１２５がその中心にて回動自在に軸支されており、その一端が、上側筐体１１０の背面側、つまり、上側スライド機構１１３に向かって突出する突起（突出部）となっている。この突起は、図９に示すように、下側筐体１２０の短辺のほぼ中心に位置しており、上述した上側スライド機構１１３に形成されたアンテナ可動用溝１１３ｂの位置に対応している。そして、その高さも、アンテナ可動用溝１１３ｂに収容可能な長さだけ突出している。そして、この突起は、図７に示すように、上側筐体１１０が上方に移動すると、上側スライド機構１１３の長手方向に沿った中央部分に形成されたアンテナ可動用溝１１３ｂの終端であるレールエンドが当接して、上方に押圧されて回転する。すると、梃子１２５の他端が可動部１３０に固定装備された爪部１３２を押圧し、これによって、可動部１３０は蝶番１３１を支点として回転することとなる。
【００５１】
なお、スライド展開時には、図７に示すように、一対の筐体１１０，１２０は相互に湾曲スライドするため、各筐体１１０，１２０の表面は角度を成して位置することとなるが、これに連動して可動部１３０が回転して当該可動部１３０のカメラ部１５０が装備された背面の角度も変化する。このとき、カメラ部１５０の撮影方向である光軸Ｃが、上側筐体１１０に設けられた表示部１１１の表示面に対して直角になるよう、可動部１３０が可動する。なお、可動部１３０の可動角度は、梃子１２５の突起、アンテナ可動用溝１１３ｂの配置、当該溝１１３ｂの長さ、幅、蝶番１３１のバネの強度など、可動部１３０の可動に関連するあらゆる様子を調整することで、所望の角度つまり光軸Ｃと表示部１１１の表示面とが直角になるよう設定できる。
【００５２】
以上のように、アンテナ部１４０及びカメラ部１５０が装備された可動部１３０と、この可動部１３０を可動させる梃子１２５と、梃子１２５の一端である突起を収容してガイドとなって筐体をスライドさせると共にスライド展開時に可動部１３０を押圧する上側スライド機構１１３に形成されたアンテナ可動用溝１１３ｂとは、アンテナ部１４０を可動させるアンテナ可動手段であると共に、カメラ部１５０も可動させるカメラ可動手段として機能している。
【００５３】
［動作］
次に、上記構成のスライド型携帯電話機の動作を説明する。まず、図６に示すように、上側筐体１１０と下側筐体１２０とが、全面的に積層された状態となるスライド収納時には、梃子１２５の突起はアンテナ可動用溝１１３ｂに収容されている。また、蝶番１３１のバネ力により、可動部１３０は蝶番１３１を支点として反時計回り方向に回転するよう付勢されている。従って、可動部１３０の背面と、下側筐体１２０の背面とが一直線上になり、平らな平面を形成することとなる。つまり、アンテナ部１４０及びカメラ部１５０は、電池１２４の面と平坦になっている。その結果、カメラ部１５０の光軸Ｃと表示部１１１の表面とは直角になっている。
【００５４】
その後、図７の矢印Ｙ１１に示すように、上側筐体１１０を下側筐体１２０に対して上方にスライド展開すると、上述したように、下側スライド機構１２３に形成されたガイド１２３ａが上側スライド機構１１３に形成されたレール溝１１３ａに沿って、及び、梃子１２５の突起が上側スライド機構１１３に形成されたアンテナ可動用溝１１３ｂに沿って移動する。そして、各スライド機構１１３，１２３のスライド面は湾曲して形成されているため、上側筐体１１０も下側筐体１２０に対して湾曲移動し、相互に所定の角度を有して「く」の字状となる。
【００５５】
そして、上側筐体１１０が最大限にスライド可能な位置まで移動すると、上側スライド機構１１３の長手方向のほぼ中心位置に形成されたアンテナ可動用溝１１３ｂのレールエンドに、梃子１２５の突起が当接し、当該突起をスライド展開方向、つまり、図７では上方に押圧する。すると、梃子１２５は、図７の矢印Ｙ１２に示すように、反時計周り方向に回転し、突起とは反対側の端部が、可動部１３０に設けられた爪部１３２を背面側に押圧する。これにより、可動部１３０は蝶番１３１を支点として、下側筐体１２０に対して回動することとなる（矢印Ｙ１３参照）。つまり、可動部１３０の背面側に設けたアンテナ部１４０を、当該背面からさらに離間させることができる。同時に、可動部１３０の背面側に設けたカメラ部１５０も当該背面から離間し、その光軸Ｃの角度が変化するが、上述したように湾曲スライドにより上側筐体１１０の表示部１１１の表示面の角度も変化しており、かかる変化に対応してカメラ部１５０の光軸Ｃの角度も変化するよう可動状態が設定されている。具体的には、カメラ部１５０の撮影方向である光軸Ｃが、上側筐体１１０に設けられた表示部１１１の表示面に対して直角になるよう、可動部１３０が可動するよう設定されている。
【００５６】
以上により、湾曲してスライドする一対の筐体１１０，１２０のために、スライドして開いたときに表示部１１１とカメラ部１５０の光軸が直角にならないという不都合が生じうるが、上記構成にすることで、スライドして開いた時においてもカメラ部１５０の光軸Ｃと表示部１１１の表示面が直角に位置することとなる。従って、自然かつ容易な撮影が可能となる。
【００５７】
また、上述同様に、アンテナ部１４０を金属製のスライド機構１１３，１２３からの距離を離すことができるため、通話時における放射効率の向上を図ることができる。同時に、スピーカやマイクが形成された表面ではなく背面側に位置するアンテナ部１４０を、さらに表面側から離間させているため、通話時において人体の頭部からアンテナ部１４０の距離をより離すことができ、ＳＡＲ（比吸収率）の低下をも図ることができる。そして、かかる構成を簡易な構成で実現できるため、製造の容易化、低コスト化を図ることができる。
【００５８】
さらに、上述した実施例１，２のように、筐体の一部であるアンテナ部１４０及び／あるいはカメラ部１５０を装備した部分が、スライド動作と連動して可動するため、かかる変則的な動作を楽しむことができ、デザイン性の向上を図ることができる。
【産業上の利用可能性】
【００５９】
本発明は、通話機能を有するＰＤＡや携帯電話機など、スライド型機構を有する携帯電話機に利用することができ、産業上の利用可能性を有する。
【図面の簡単な説明】
【００６０】
【図１】スライド型携帯電話機の外観を示す正面図であり、スライド展開させたときの様子を示す。
【図２】実施例１におけるスライド型携帯電話機の側方断面図であり、スライド収納したときの様子を示す。
【図３】実施例１におけるスライド型携帯電話機の側方断面図であり、スライド展開したときの様子を示す。
【図４】実施例１における上側筐体の構成を示す図であり、図４（ａ）は背面側から見た図を示し、図４（ｂ）は図４（ａ）のＡ−Ａ線断面図を示す。
【図５】実施例１における下側筐体の構成を示す図であり、図５（ａ）は背面側から見た図を示し、図５（ｂ）は図５（ａ）のＢ−Ｂ線断面図を示す。
【図６】実施例２におけるスライド型携帯電話機の側方断面図であり、スライド収納したときの様子を示す。
【図７】実施例２におけるスライド型携帯電話機の側方断面図であり、スライド展開したときの様子を示す。
【図８】実施例２における上側筐体の構成を示す図であり、図８（ａ）は背面側から見た図を示し、図８（ｂ）は図８（ａ）のＣ−Ｃ線断面図を示す。
【図９】実施例２における下側筐体の構成を示す図であり、図９（ａ）は背面側から見た図を示し、図９（ｂ）は図９（ａ）のＤ−Ｄ線断面図を示す。
【図１０】スライド型携帯電話機の基本構成を示す図であり、スライド収納時の側方断面図を示す。
【図１１】スライド型携帯電話機の基本構成を示す図であり、スライド展開時の側方断面図を示す。
【図１２】スライド型携帯電話機の基本構成を示す図である。図１２（ａ）は上側筐体を背面側から見た図を示し、図１２（ｂ）は図１２（ａ）のＥ−Ｅ線断面図を示す。
【図１３】スライド型携帯電話機の基本構成を示す図である。図１３（ａ）は下側筐体を背面側から見た図を示し、図１３（ｂ）は図１３（ａ）のＦ−Ｆ線断面図を示す。
【符号の説明】
【００６１】
１  携帯電話機
１０，１１０  上側筐体
１１，１１１  表示部
１２，１１２  基板
１３，１１３  上側スライド機構
１３ａ，１１３ａ  レール溝
１３ｂ，１１３ｂ  アンテナ可動用溝
１６  スピーカ
２０，１２０  下側スライド機構
２１，１２１  操作部
２２，１２２  基板
２３，１２３  下側スライド機構
２３ａ，１２３ａ  ガイド
２３ｂ  突起
２４，１２４  電池
３０，１３０  可動部
３１，１３１  蝶番
４０，１４０  アンテナ部
５０，１５０  カメラ部
１２５  梃子
Ｃ  光軸
【図１】
0005018330.tif 000002
【図２】
0005018330.tif 000003
【図３】
0005018330.tif 000004
【図４】
0005018330.tif 000005
【図５】
0005018330.tif 000006
【図６】
0005018330.tif 000007
【図７】
0005018330.tif 000008
【図８】
0005018330.tif 000009
【図９】
0005018330.tif 000010
【図１０】
0005018330.tif 000011
【図１１】
0005018330.tif 000012
【図１２】
0005018330.tif 000013
【図１３】
0005018330.tif 000014